(57)【要約】【課題】枠部材の構造が簡単で、枠部材の窓開口部からの突出寸法を小さくすることができるロールスクリーン付き窓シャッターを提供する。【解決手段】二者択一で開口部を開閉するシャッターカーテン４及び網体９と、開口部上方に併設されたシャッターカーテン用巻取シャフト５及びスクリーン用巻取シャフト１０と、開口部左右に立設したシャッターカーテン・スクリーン兼用ガイドレール８と、からなるロールスクリーン付き窓シャッター。ガイドレール８内には、溝幅方向Ｗに延出する第１姿勢と、溝の深さ方向Ｄに延出する第２姿勢の間で回動可能な一対の回動片８０４が設けてあり、回動片８０４は第１姿勢で網体９を案内し、第２姿勢でシャッターカーテン４を案内する。【選択図】図３
2008240325.tif 000002
【特許請求の範囲】
【請求項１】
二者択一で開口部を開閉するシャッターカーテン及びスクリーンと、
開口部上方に併設されたシャッターカーテン用巻取シャフト及びスクリーン用巻取シャフトと、
開口部左右に立設したシャッターカーテン・スクリーン兼用ガイドレールと、
からなるロールスクリーン付き窓シャッター。
【請求項２】
前記シャッターカーテンは、複数の金属製スラットを上下に連設して形成されており、前記スクリーンの厚さは前記シャッターカーテンの厚さよりも小さい寸法を有しており、前記ガイドレールの内部には、スクリーンの幅方向端部を案内する細幅ガイド溝部が、シャッターカーテンの幅方向端部の昇降を妨げないように、設けてある、請求項１に記載のロールスクリーン付き窓シャッター。
【請求項３】
前記ガイドレール内部には、ガイドレールの長さ方向に延出する長尺部材であって、一方の長辺を回動基端部、他方の長片を先端部とする一対の回動片が設けてあり、
前記一対の回動片は、ガイドレール開口溝の溝幅方向に延出して先端部間でスクリーンの幅方向端部を案内する第１姿勢と、ガイドレール開口溝の深さ方向に対向状に延出してその間でシャッターカーテンの幅方向端部を案内する第２姿勢と、の間で回動可能であり、回動片は第２姿勢から第１姿勢への回動方向に付勢されていると共に、第１姿勢を越える回動が規制されている、請求項１，２いずれかに記載のロールスクリーン付き窓シャッター。
【請求項４】
前記一対の回動片の上縁は、上方に向かって互いに離間する方向に延出する傾斜縁であり、前記一対の回動片が第１姿勢においてＶ形状のガイド部を形成している、請求項３に記載のロールスクリーン付き窓シャッター。
【請求項５】
前記ガイドレールは、高さ方向に立設されたガイドレール本体と、ガイドレール本体の上方部位に形成された分岐部とからなり、
前記分岐部は、シャッターカーテンの幅方向両端部を案内する第１部分とスクリーンの幅方向両端部を案内する第２部分とを備え、
前記回動片は、前記ガイドレール本体の高さ方向に沿って設けてあり、前記回動片の上縁と前記ガイドレール本体の上端は略同じ高さにある、
請求項３，４いずれかに記載のロールスクリーン付き窓シャッター。
【発明の詳細な説明】
【技術分野】
【０００１】
本発明は、ロールスクリーン付き窓シャッターに係り、好ましい態様では、ロール網戸付き窓シャッターに関するものである。
【背景技術】
【０００２】
窓シャッターにロールスクリーンを併設したロールスクリーン付き窓シャッターは存在する。例えば、ロール網戸付き窓シャッターとしては、シャッターケース内にロール網戸を内蔵するものがある。また、特許文献１にも類似の構成が開示されており、スラットカーテンと断熱幕とを併設したシャッターにおいて、シャッターケース内にスラットカーテン、断熱幕がそれぞれ巻き取られて収納されるようになっている。
【０００３】
しかしながら、従来のロールスクリーン付き窓シャッターは、窓装置のサッシ枠およびシャッター用のガイドレールに加えて、スクリーンの幅方向端部を案内するためのスクリーン用のガイドレールを設ける必要がある。スクリーン用のガイドレールを設ければ、開口部の枠部材の構造が複雑になる上、窓開口部からの屋外側への枠部材の突出寸法が大きくなってしまうという不具合があった。
【特許文献１】実開昭５６−１９９６号
【発明の開示】
【発明が解決しようとする課題】
【０００４】
本発明は、枠部材の構造が簡単で、枠部材の窓開口部からの突出寸法を小さくすることができるロールスクリーン付き窓シャッターを提供することを目的とする。
【課題を解決するための手段】
【０００５】
かかる課題を達成するために本発明が採用した技術手段は、二者択一で開口部を開閉するシャッターカーテン及びスクリーンと、開口部上方に併設されたシャッターカーテン用巻取シャフト及びスクリーン用巻取シャフトと、開口部左右に立設したシャッターカーテン・スクリーン兼用ガイドレールと、からなるロールスクリーン付き窓シャッター、である。
【０００６】
一つの態様では、前記シャッターカーテンは、複数の金属製スラットを上下に連設して形成されており、前記スクリーンの厚さは前記シャッターカーテンの厚さよりも小さい寸法を有しており、前記ガイドレールの内部には、スクリーンの幅方向端部を案内する細幅ガイド溝部が、シャッターカーテンの幅方向端部の昇降を妨げないように、設けてある。細幅ガイド溝部のより具体的な態様例としては、ガイドレール内部の底部に位置して細幅ガイド溝部を形成すると共に、シャッターカーテンの幅寸法をスクリーンの幅寸法よりも小さく設定して、スクリーンの幅方向両端部を細幅ガイド溝部で案内し、シャッターカーテンの幅方向両端部は細幅ガイド溝部までは達しないようにして、シャッターカーテンの幅方向両端部の昇降経路と細幅ガイド溝部とが干渉しないようにする。
【０００７】
細幅ガイド溝部の他の態様例では、前記ガイドレール内部には、ガイドレールの長さ方向に延出する長尺部材であって、一方の長辺を回動基端部、他方の長片を先端部とする一対の回動片が設けてあり、前記一対の回動片は、ガイドレール開口溝の溝幅方向に延出して先端部間でスクリーンの幅方向端部を案内する第１姿勢と、ガイドレール開口溝の深さ方向に対向状に延出してその間でシャッターカーテンの幅方向端部を案内する第２姿勢と、の間で回動可能であり、回動片は第２姿勢から第１姿勢への回動方向に付勢されていると共に、第１姿勢を越える回動が規制されている。
【０００８】
一対の回動片を用いるものにおいて、好ましい態様例では、前記一対の回動片の上縁は、上方に向かって互いに離間する方向に延出する傾斜縁であり、前記一対の回動片が第１姿勢においてＶ形状のガイド部を形成している。
【０００９】
一対の回動片を用いるものにおいて、好ましい態様例では、前記ガイドレールは、高さ方向に立設されたガイドレール本体と、ガイドレール本体の上方部位に形成された分岐部とからなり、前記分岐部は、シャッターカーテンの幅方向両端部を案内する第１部分とスクリーンの幅方向両端部を案内する第２部分とを備え、前記回動片は、前記ガイドレール本体の高さ方向に沿って設けてあり、前記回動片の上縁と前記ガイドレール本体の上端は略同じ高さにある。
【発明の効果】
【００１０】
本発明では、シャッターカーテンのガイドレールとスクリーンのガイドレールを兼用としたので、枠部材の構造が簡単で、枠部材の見込寸法を小さくすることができる。また、スクリーン、例えば網戸、を使用している時には、シャッターカーテンが巻取シャフトに巻装されて開口部が開放されている状態なので、ガイドレールを共通化して、シャッターカーテンとスクリーンとが二者択一で開口部を開閉するものであっても使用上の支障はない。
【００１１】
シャッターカーテンが複数枚の金属製スラットを連結して形成されている場合には、シャッターカーテンの厚みに対してスクリーンの厚みが肉薄となる。したがって、シャッターカーテンの端部を受け入れて案内するガイド溝内にスクリーン端部が受け入れられた場合には、スクリーン端部とガイド溝との間の隙間が大きくなり、ガイドレール内に屋外側と屋内側とを連通する不利な空間が形成されてしまい、特に、スクリーンが網戸スクリーンである場合には、防虫効果が減殺されてしまうおそれがある。一方、スクリーンの端部の厚みを、ガイド溝に合わせて肉厚に形成するとすれば、巻取時のスクリーンの最大巻径が大きくなって開口部上方空間に納めることが困難となる。本発明では、ガイドレールの内部に、シャッターカーテンの昇降を妨げないようなスクリーンの幅方向端部を案内する細幅ガイド溝部が設けることで、これらの課題を解決した。
【００１２】
ガイドレール内に、開口溝の溝幅方向に延出する第１姿勢と、開口溝の深さ方向に延出する第２姿勢の間で回動可能な一対の回動片が設け、回動片は第１姿勢でスクリーンの幅方向両端部を案内する細幅ガイド溝部を形成し、第２姿勢でシャッターカーテンの幅方向両端部を案内するガイド溝部を形成するようしたものでは、シャッターカーテン、スクリーンの端部のガイドレール内の呑み込み寸法を減じることなく、シャッターカーテンの昇降を妨げない細幅ガイド溝部を形成することができる。さらに、前記一対の回動片の上縁は、上方に向かって互いに離間する方向に延出する傾斜縁であり、前記一対の回動片が第１姿勢においてＶ形状のガイド部を形成しているものでは、開口部を網体で閉鎖する時には、ガイド部が網体を第１姿勢で形成される細幅ガイド溝部に良好に案内し、開口部をシャッターカーテンで閉鎖する時には、降下するシャッターカーテンの下端がガイド部に当たって、一対の回動片を良好に第１姿勢から第２姿勢へと回動させる。
【００１３】
ガイドレールを、高さ方向に立設されたガイドレール本体と、ガイドレール本体の上方部位に形成された分岐部とから構成し、前記分岐部は、シャッターカーテンの幅方向両端部を案内する第１部分とスクリーンの幅方向両端部を案内する第２部分とを備えているものでは、シャッターカーテン、スクリーンを共通のガイドレールへより自然に良好に導くことができる。また、ガイドレール本体に形成した回動片の上縁に上記ガイド部を形成すれば、分岐されたガイドレールからガイドレール本体へのシャッターカーテン、スクリーンの案内を円滑に行うことができる。
【発明を実施するための最良の形態】
【００１４】
本発明の実施の形態を図面に基づいて説明する。図１は本発明に係るロール網戸付き窓シャッター装置においてシャッターカーテンが開口部を途中まで閉鎖した状態を示す正面図、図２はロール網戸の網体が開口部を途中まで閉鎖した状態を示す正面図、図３は本発明に係るロール網戸付き窓シャッター装置の一部省略縦断面図である。本実施形態において、ロール網戸がロールスクリーンとして例示されている。本発明に係るロール網戸付き窓シャッター装置は、窓装置の屋外側に位置して設けてある。ロール網戸は、シャッター装置とは独立して操作可能に構成されている。シャッターカーテンと網体のいずれか一方が開口部を閉鎖する時には、他方は開口部上方空間に収納されている。
【００１５】
窓開口部には、窓装置のサッシ枠１が設けてある。図示の例では、窓装置は引戸装置であり、サッシ枠には、障子２Ａ，２Ｂが左右方向に移動可能に設けてある。
【００１６】
図３に示すように、開口部の上方に位置してシャッターケース３が持ち出し状に突設されている。シャッターケース３内には、シャッターカーテン４の巻き取り・繰り出しを行う巻取シャフト５が設けてある。シャッターカーテン４は、複数枚のスラット４０を上下方向に連設して構成されており、最下端には座板４１が設けてある。巻取シャフト５は、シャッターケース３の両側部に位置して設けた左右の板状のブラケット６間に支持されている。ブラケット６は、シャッターケース３の側部を構成してもよく、あるいは、シャッターケース３の側部とは別部材からブラケット６を構成してもよい。シャッターケース４内には、巻取シャフト５を回転駆動させるための開閉機７が、巻取シャフト５の屋外側に位置して設けてある。
【００１７】
開口部の左右に位置して左右の縦枠が持ち出し状に突設されており、縦枠の先端部１ａにはガイドレール８が形成されている。また、建物開口部の下方に位置して下枠が持ち出し状に突設されており、ガイドレール８の下端は下枠の先端部１ｂに支承されている。
【００１８】
シャッターケース３内には、スクリーンとしての網体９の巻き取り・繰り出しを行う網戸用巻取シャフト１０が設けてある。網体９は、シャッターカーテン４よりも肉薄に形成されており、網体９の幅方向両端部には抜け止め部材９０が設けてあり、網体９の下端には座板９１が設けてある。網戸用巻取シャフト１０にはバネが内蔵されており、バネは網体９を巻き取る方向に巻取シャフト１０を付勢している。ロール網戸用の巻取シャフト１０は、シャッター用巻取シャフト５より屋内側で、かつ、下方に位置して設けてある。ロール網戸用巻取シャフト１０の両端部は網戸用ブラケット１１に着脱自在に連結支持されている。網戸用ブラケット１１はブラケット６の屋内側かつ下方に位置して設けてある。
【００１９】
本発明では、ガイドレール８は、シャッターカーテン４・網体９兼用となっている。図示の態様例では、ガイドレール８は、ガイドレール８の高さ方向に亘って延出する本体部８０と、本体部８０の上部に形成された分岐部と、からなる。分岐部は、シャッターカーテン４の幅方向端部を案内する第１部分８１と、網体９の幅方向端部を案内する第２部分８２と、からなる。
【００２０】
第１部分８１は、本体部８０の上部から垂直状に上方に延出しており、巻取シャフト５に巻き取られて収納姿勢にあるシャッターカーテン４の下方部位（座板４１）が位置している。この状態からシャッターカーテン４を下降させると、シャッターカーテン４は垂直状の第１部分８１からガイドレール本体８０に案内される。
【００２１】
第２部分８２は、本体部８０の上部から室内側に向かって斜め上方に延出する傾斜部８２Ａと、傾斜部８２Ａの上端から垂直状に延出する垂直部８２Ｂと、を有しており、垂直部８２Ｂには、ロール網戸用巻取シャフト１０に巻き取られて収納姿勢にある網体９の下方部位（座板９１）が位置している。この状態から網体９を下降させると、網体９は垂直部８２Ｂから傾斜部８２Ａに案内されながらガイドレール本体８０に案内される。
【００２２】
ガイドレール本体８０について説明する。ガイドレール本体８０は、底部８００、対向状の側部８０１，８０１から断面視コ字形状を備えており、側部８０１，８０１の先端側は開口状となっており、側部８０１，８０１間に開口溝が形成されている。尚、分岐部の第１部分８１、第２部分８２の断面形状もガイドレール本体８０の断面形状と類似の形状を備えている。ガイドレール本体８０において、対向状の側部８０１，８０１の先端近傍には、長さ方向（高さ方向）に延出するポケット部８０２が対向状に突成されており、ポケット部８０２にはモヘヤ８０３が対向状に設けてある。
【００２３】
側部８０１の先端に対向状に突成されたポケット部８０２の底部側に位置して一対の回動片８０４が設けてある。回動片８０４は、ガイドレール８の長さ方向に上下に延出する長尺部材であって、一方の長辺が回動基端側、他方の長辺が先端側となっており、回動基端側の長辺が常時側部８０１（ポケット部８０２の底部側）に近接するようにしてガイドレール内部に設けられている。
【００２４】
一対の回動片８０４は、ガイドレール８の開口溝の溝幅方向Ｗ（底部８００に平行あるいは略平行する方向）に延出する第１姿勢と、ガイドレール８の開口溝の深さ方向Ｄ（側部８０１に対向して延出する方向）に対向状に延出する第２姿勢との間で回動可能となっている。図４、図５、図７では、一対の回動片９０４は第１姿勢にあり、図６、図８では、一対の回動片９０４は第２姿勢にある。本明細書において、「ガイドレール８の開口溝の深さ方向Ｄに対向状に延出する」とは、一対の回動片９０４が相対的に深さ方向Ｄに沿って対向状に延出していればよく、図８に示すように、ガイドレール８の側部８０１に対して傾斜状に延出するものも含む。
【００２５】
回動片８０４は、回動基端側がポケット部８０２の底部側に位置しており、回動片８０４の上下端部に設けた回動ピン８０５を介して回動可能に取り付けられている。図示の例では、回動片８０４の上端は、回動ピン８０５を介して分岐部の第１部８１の下端及び第２部８２の傾斜部８２Ａの下端に取り付けられている。回動片８０４の下端は、回動ピン８０５を介して下枠１ｂに取り付けられている。回動ピン８０５には回動片８０４を底部８００から離間する側（開口部側）、すなわち、第２姿勢から第１姿勢への回動方向、に付勢するスプリング８０６が設けてある。
【００２６】
回動片８０４が開口溝の溝幅方向Ｗに延出する第１姿勢、すなわち、底部８００に平行する姿勢（側部８０１に対して垂直状に立ち上がった姿勢）において、底部８００から離間する側（開口部側）への回動は、回動片８０４の基端側が突成されたポケット部８０２に当接することで規制されている。すなわち、ポケット部８０２が回動片８０４の第１姿勢からさらに底部８００から離間する側への回動を規制するストッパとなっている。したがって、外力が作用しない通常の状態では、一対の回動片８０４は、対向状の側部８０１間に形成された開口溝の溝幅方向Ｗに延出している。一対の回動片８０４の先端部間の間隙は、網体９の厚みよりも若干大きい厚みとなっており、第１姿勢にある回動片８０４の先端部間に網体９の幅方向端部を上下に案内する細幅のガイド溝Ｇ１が形成される。
【００２７】
一対の回動片８０４の上端縁は、上方に向かって互いに離間するように傾斜状に延出する傾斜縁８０４ａとなっており、一対の傾斜縁８０４ａからＶ形状の案内部が形成されている。網体９がガイドレール８に沿って下降する時には、ガイドレール本体８０の上端部に位置して回動片８０４の上縁に形成されたＶ形状の案内部によって、網体９の幅方向両端部は、ガイドレール８の第２部分８２からガイドレール本体８０へ良好に案内される。シャッターカーテン４がガイドレール８に沿って下降する時には、シャッターカーテン４の座板４１の下端部がＶ形状の案内部に当たって、回動片８０４を拡開するように底部８００側に回動させながら降下していき、回動片８０４は、開口溝の深さ方向Ｄに延出した第２姿勢で対向し、対向する回動片８０４間にシャッターカーテン４の幅方向端部を上下に案内するガイド溝Ｇ２を形成する。
【００２８】
このように構成されたロール網戸付き窓シャッターにおいて、シャッターカーテン４で開口部を閉鎖する場合には、降下するシャッターカーテン４の下端の座板４１が第１姿勢にある一対の回動片８０４の上縁の傾斜縁８０４ａから形成されるＶ形状のガイド部に当たり、回動片８０４をガイドレール８の底部８００側に拡開するように回動させ、第２姿勢となった対向状の回動片８０４間に形成されたガイド溝Ｇ２でシャッターカーテン４の端部が案内されながらシャッターカーテン４が降下して開口部を閉鎖する。一方、網戸の網体９で開口部を閉鎖する場合には、降下する網体９の端部は、第１姿勢にある一対の回動片８０４の先端部間に形成されたガイド溝Ｇ１で案内されながら降下して開口部を閉鎖する。
【００２９】
図９に、細幅ガイド溝Ｇ１の他の実施形態を示す。ガイドレール８の内には、底部８００側に位置して、側部８０１から対向して開口溝の溝幅方向に延出する延出片８０７，８０７が形成されている。延出片８０７はガイドレールの高さ方向に延出する長尺部材であって、延出片８０７の先端部間にガイド溝Ｇ１が形成されている。図９（Ａ）に示すように、シャッターカーテン４を構成するスラット４０の幅寸法は、網体９の幅寸法よりも短く設定されており、スラット４０の幅方向端部は、延出片８０７までは達していない。したがって、延出片８０７がシャッターカーテン４の昇降経路と干渉して、シャッターカーテン４の昇降を妨げることがない。一方、図９（Ｂ）に示すように、網体９の幅方向端部は、延出片８０７を越えて底部８００側に延出しており、網体９は延出片８０７間に形成されたガイド溝Ｇ１に案内されながら昇降する。また、延出片８０７の上端縁を、ガイド溝Ｇ１に向かって傾斜状に延出するガイド縁に形成してもよい。
【図面の簡単な説明】
【００３０】
【図１】本発明に係るロール網戸付き窓シャッター装置においてシャッターカーテンが開口部を途中まで閉鎖した状態を示す正面図である。
【図２】本発明に係るロール網戸付き窓シャッター装置においてロール網戸の網体が開口部を途中まで閉鎖した状態を示す正面図である。
【図３】本発明に係るロール網戸付き窓シャッター装置の一部省略縦断面図である。
【図４】上から順にガイドレール本体の上方部位の縦断面図、ガイドレール本体の横断面図、ガイドレール本体の下方部位の縦断面図、である
【図５】降下するシャッターカーテンの下端部が第１姿勢にある回動片の上方に位置している状態を示す斜視図である。
【図６】シャッターカーテンの端部がガイドレールに案内されている状態を示す斜視図である。
【図７】網戸の網体の端部がガイドレールに案内されている状態を示す斜視図である。
【図８】第２姿勢にある回動片を示すガイドレール本体の横断面図である。
【図９】細幅ガイド溝の他の実施形態を示す図である。
【符号の説明】
【００３１】
４  シャッターカーテン
８  ガイドレール
９  網体
８０４  回動片
Ｄ  ガイドレール開口溝の深さ方向
Ｗ  ガイドレール開口溝の溝幅方向
【図１】
2008240325.tif 000003
【図２】
2008240325.tif 000004
【図３】
2008240325.tif 000005
【図４】
2008240325.tif 000006
【図５】
2008240325.tif 000007
【図６】
2008240325.tif 000008
【図７】
2008240325.tif 000009
【図８】
2008240325.tif 000010
【図９】
2008240325.tif 000011